【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
モニタ及び制御回路において、
第１入力端子、第１共通入力端子、第１出力端子、第２出力端子、及び第１共通出力端子を有する第１フィルタ回路であって、前記第１フィルタ回路の前記第１入力端子は、第１バッテリセルの正極に接続され、かつ第１共通入力端子は、前記第１バッテリセルの負極に接続するとともに第２バッテリセルの正極に接続するために構成され、さらに、
第１及び第２端子を有する第１インピーダンス素子であって、前記第１インピーダンス素子の前記第１端子は、前記第１フィルタ回路の前記第１入力端子として動作し、かつ前記第１インピーダンス素子の前記第２端子は、前記第１フィルタ回路の前記第１出力端子として動作する、第１インピーダンス素子、
第１及び第２端子を有する第１共通インピーダンス素子であって、前記第１共通インピーダンス素子の前記第１端子は、前記第１フィルタ回路の前記第１共通入力端子として動作し、かつ前記第１共通インピーダンス素子の前記第２端子は、前記第１フィルタ回路の前記第１共通出力端子として動作する、第１共通インピーダンス素子、及び、
第１端子及び第２端子を有する第１キャパシタであって、前記第１キャパシタの前記第１端子は、前記第１フィルタ回路の前記第２出力端子に結合される、第１キャパシタ、
を含む第１フィルタ回路と、
第１共通入力端子、第２共通入力端子、第１出力端子、第１共通出力端子、及び第２共通出力端子を有する第２フィルタ回路であって、前記第２共通入力端子は、前記第２バッテリセルの負極に接続するために構成され、さらに、
前記第１共通インピーダンス素子、
第１及び第２端子を有する第２共通インピーダンス素子であって、前記第２共通インピーダンス素子の前記第１端子は、前記第２フィルタ回路の前記第２共通入力端子として動作し、かつ前記第２共通インピーダンス素子の前記第２端子は、前記第２フィルタ回路の前記第２共通出力端子として動作する、第２共通インピーダンス素子、及び、
第１端子及び第２端子を有する第２キャパシタであって、前記第２キャパシタの第１端子は、前記第２フィルタ回路の前記第１出力端子に結合される、第２キャパシタ、
を含む第２フィルタ回路と、
第１、第２及び第３入力端子、並びに、第１及び第２スイッチング入力端子を有するスイッチングネットワークにおいて、前記スイッチングネットワークの前記第１入力端子は、前記第１フィルタ回路の前記第１出力端子に結合され、前記スイッチングネットワークの前記第２入力端子は、前記第１フィルタ回路の前記第１共通出力端子に結合され、前記第１スイッチング入力端子は、前記第１フィルタ回路の前記第２出力端子に結合され、前記第３入力端子は、前記第２フィルタ回路の前記第２共通出力端子に結合され、前記第２スイッチング入力端子は、前記第２フィルタ回路の前記第１出力端子に結合され、さらに、
制御端子、第１電流供給端子、及び第２電流供給端子を有する第１スイッチング素子であって、前記第１スイッチング素子の前記第１電流供給端子は、前記第１フィルタ回路の前記第１共通出力端子に結合され、前記第１スイッチング素子の前記第２電流供給端子は、前記第１フィルタ回路の前記第２出力端子に結合される、第１スイッチング素子、及び、
制御端子、第１電流供給端子、及び第２電流供給端子を有する第２スイッチング素子であって、前記第２スイッチング素子の前記第１電流供給端子は、前記第２フィルタ回路の前記第２共通出力端子に結合され、前記第２スイッチング素子の前記第２電流供給端子は、前記第２フィルタ回路の前記第１出力端子に結合される、第２スイッチング素子、
を含むスイッチングネットワークと、
から構成されることを特徴とするモニタ及び制御回路。
【請求項２】
第１バッテリセルの正極に接続するために構成される第１端子、前記第１バッテリセルの負極に接続するために構成され、かつ第２バッテリセルの正極に接続するために構成される第２端子、及び、前記第２バッテリセルの負極に接続するために構成される第３端子を有するモニタ及び制御回路において、
第１共通端子、第２共通端子、第３共通端子、第１スイッチングネットワーク入力端子、及び、第２スイッチングネットワーク入力端子を有するスイッチングネットワークであって、
制御端子、及び、第１及び第２電流供給端子を有する第１サンプリングスイッチであって、前記第１サンプリングスイッチの前記第１電流供給端子は、前記スイッチングネットワークの前記第２共通端子に結合され、前記第１サンプリングスイッチの前記第２電流供給端子は、前記スイッチングネットワークの前記第１スイッチングネットワーク入力端子に結合される、第１サンプリングスイッチ、及び
制御端子、及び、第１及び第２電流供給端子を有する第２サンプリングスイッチであって、前記第２サンプリングスイッチの前記第１電流供給端子は、前記スイッチングネットワークの前記第３共通端子に結合され、前記第２サンプリングスイッチの前記第２電流供給端子は、前記スイッチングネットワークの前記第２スイッチングネットワーク入力端子に結合される、第２サンプリングスイッチ、を含むスイッチングネットワークと、
第１端子及び第２端子を有する第１インピーダンス素子であって、前記第１インピーダンス素子の前記第１端子は、前記モニタ及び制御回路の前記第１端子に結合され、前記第１インピーダンス素子の前記第２端子は、前記スイッチングネットワークの前記第１共通端子に結合される、第１インピーダンス素子と、
第１端子及び第２端子を有する第１エネルギー貯蔵素子であって、前記第１エネルギー貯蔵素子の前記第１端子は、前記スイッチングネットワークの前記第１スイッチングネットワーク入力端子に結合される、第１エネルギー貯蔵素子と、
第１端子及び第２端子を有する第２インピーダンス素子であって、前記第２インピーダンス素子の前記第１端子は、前記モニタ及び制御回路の前記第２端子に結合され、前記第２インピーダンス素子の前記第２端子は、前記スイッチングネットワークの前記第２共通端子に結合される、第２インピーダンス素子と、
第１端子及び第２端子を有する第２エネルギー貯蔵素子であって、前記第２エネルギー貯蔵素子の前記第１端子は、前記スイッチングネットワークの前記第２スイッチングネットワーク入力端子に結合される、第２エネルギー貯蔵素子と、
第１端子及び第２端子を有する第３インピーダンス素子であって、前記第３インピーダンス素子の前記第１端子は、前記モニタ及び制御回路の前記第３端子に結合される、第３インピーダンス素子と、
から構成されることを特徴とするモニタ及び制御回路。
【請求項３】
第１及び第２端子を有する第４インピーダンス素子であって、前記第４インピーダンス素子の前記第１端子は、前記第１サンプリングスイッチの前記第２電流供給端子に結合され、前記第４インピーダンス素子の前記第２端子は、前記スイッチングネットワークの前記第１スイッチングネットワーク入力端子に結合される、第４インピーダンス素子と、
第１及び第２端子を有する第５インピーダンス素子であって、前記第５インピーダンス素子の前記第１端子は、前記第２サンプリングスイッチの前記第２電流供給端子に結合され、前記第５インピーダンス素子の前記第２端子は、前記スイッチングネットワークの前記第２スイッチングネットワーク入力端子に結合される、第５インピーダンス素子と、
から構成されることを特徴とする請求項２記載のモニタ及び制御回路。
【請求項４】
回路において、
第１バッテリセルの正極に接続するために構成される第１端子、前記第１バッテリセルの負極に接続するために構成され、かつ第２バッテリセルの正極に接続するために構成される第２端子、及び、前記第２バッテリセルの負極に接続するために構成される第３端子を有するフィルタ回路であって、前記フィルタ回路は、さらに第１共通出力端子、第２共通出力端子、第３共通出力端子、第１フィルタ出力端子、及び第２フィルタ出力端子を含み、
第１端子及び第２端子を有する第１インピーダンス素子であって、前記第１インピーダンス素子の前記第１端子は、前記フィルタ回路の前記第１端子として動作する、第１インピーダンス素子、
第１端子及び第２端子を有する第２インピーダンス素子であって、前記第２インピーダンス素子の前記第１端子は、前記フィルタ回路の前記第２端子として動作する、第２インピーダンス素子、
第１端子及び第２端子を有する第３インピーダンス素子であって、前記第３インピーダンス素子の前記第１端子は、前記フィルタ回路の前記第３端子として動作する、第３インピーダンス素子、
第１端子及び第２端子を有する第１エネルギー貯蔵素子であって、前記第１エネルギー貯蔵素子の前記第１端子は、前記第１フィルタ出力端子に結合される、第１エネルギー貯蔵素子、及び
第１端子及び第２端子を有する第２エネルギー貯蔵素子であって、前記第２エネルギー貯蔵素子の前記第１端子は、前記第２フィルタ出力端子に結合される、第２エネルギー貯蔵素子、を含むフィルタ回路と、
前記フィルタ回路の前記第１共通出力端子に結合される第１共通入力端子、前記フィルタ回路の前記第２共通出力端子に結合される第２共通入力端子、前記フィルタ回路の前記第３共通出力端子に結合される第３共通入力端子、前記第１フィルタ出力端子に結合される第１スイッチングネットワーク入力端子、及び前記第２フィルタ出力端子に結合される第２スイッチングネットワーク入力端子を有するスイッチングネットワークであって、前記スイッチングネットワークは、さらに制御端子、及び、第１及び第２電流供給端子を有する第１スイッチを備え、前記第１スイッチの前記第１端子は、前記スイッチングネットワークの前記第２共通入力端子に結合され、前記第１スイッチの前記第２端子は、前記スイッチングネットワークの前記第１スイッチングネットワーク入力端子に結合される、スイッチングネットワークと、
から構成されることを特徴とする回路。
【請求項５】
第１端子及び第２端子を有する第４インピーダンス素子であって、前記第４インピーダンス素子の前記第１端子は、前記第１スイッチの前記第２端子に直接結合され、前記第４インピーダンス素子の前記第２端子は、前記スイッチングネットワークの前記第１スイッチングネットワーク入力端子に直接結合される、第４インピーダンス素子と、
制御端子、及び、第１及び第２端子を有する第２スイッチであって、前記第２スイッチの前記第１端子は、前記スイッチングネットワークの前記第３共通入力端子に結合され、前記第２スイッチの前記第２端子は、前記スイッチングネットワークの前記第２スイッチングネットワーク入力端子に結合される、第２スイッチと、
第１端子及び第２端子を有する第５インピーダンス素子であって、前記第５インピーダンス素子の前記第１端子は、前記第２スイッチの前記第２端子に直接結合され、前記第５インピーダンス素子の前記第２端子は、前記スイッチングネットワークの前記第２スイッチングネットワーク入力端子に直接結合される、第５インピーダンス素子と、
から構成されることを特徴とする請求項４記載の回路。